(57)【要約】      （修正有）【課題】  側面板を自立させて底面板上への食品の載置を容易にし、蓋体を開いた状態で立体的形態が保持され、中身を見せて展示できる包装用箱を提供する。【解決手段】  前面板５、底面板２、その一部が後面板６aを形成する蓋板６が連設されると共に、底面板２と前面板５および後面板６aの左右端部に糊代部９，１０が連設され、底面板５の左右の糊代部９，１０端部には、底面板２に連なる側面板１３，１４が連設され、側面板１３，１４および糊代部９，１０で形成される各コーナー部に折込み片１５〜１８が内側に折曲げ自在に連設され、前面板５及び蓋板６の折曲げ線３，４の延長線上の糊代部９，１０に細長い透孔２０を設けて包装用箱１を形成し、前面板５又は左右側面板のいずれか一方に切込み線３３からなる係止部を、他方に凹状部３４からなる被係止部を形成し、被係止部に係止部を係合させることによって側面板１３，１４を立設状態で保持する。【選択図】  図１
2005067686.tif 000002
【特許請求の範囲】
【請求項１】
平面矩形状とした底面板の上下の各端部に、折曲げ線を介して垂直に折曲げかつ立ち上げ可能に前面板および、その一部が前面板の縦幅と同幅の後面板を形成する蓋板をそれぞれ連設するとともに、
前記底面板と前面板および後面板の左右の端部に沿って、折曲げ線を介して所要幅の糊代部をそれぞれ連設させ、
前記底面板の左右に位置する糊代部の端部には、折曲げ線を介して底面板の短辺に連なる側面板をそれぞれ連設させ、
前記側面板の側端部および前記糊代部で形成される各コーナー部には、折込み片を折曲げ線を介してそれぞれ内側方向に折曲げ自在に連設させ、
前記前面板および蓋板の折曲げ線の延長線上に位置する糊代部に、それぞれ糊代部幅とほぼ同じ長さで細長い透孔が形成された包装用箱であって、
前記前面板または左右の側面板のいずれか一方に係止部を、他方に被係止部をそれぞれ形成し、被係止部に係止部を係合させることによって側面板を立設状態で保持するよう構成したこと
を特徴とする包装用箱。
【請求項２】
前記側面板は、その上縁部をそれぞれ円弧状に形成し、
前記蓋体は、前記側面板の上縁部に沿って屈曲し、全体をカマボコ型とするのに必要な長さを有すること
を特徴とする請求項１に記載の包装用箱。
【請求項３】
前記前面板の上縁部の両端部に、それぞれ折曲げ線を介して係止部としての舌片を連設し、各舌片に縦方向に切込み線を形成するとともに、この前面板側に位置する側面板の上縁部に、それぞれ前記舌片と係合する被係止部としての凹状部を形成したこと
を特徴とする請求項２に記載の包装用箱。
【請求項４】
前記舌片は、上縁部から下方に向けて切込み線を形成するに際し、上縁部に逆Ｖ字状の切込み部を形成し、この切込み部の頂部から切込み線を形成したこと
を特徴とする請求項３に記載の包装用箱。
【請求項５】
前記前面板の上縁部に沿って折曲げ線を介して蓋フラップを連設するとともに、この蓋フラップの左右端部に、それぞれスリットを折曲げ線に向けて形成するとともに、この前面板側に位置する側面板の各上縁部に、前記スリットに差込み可能な差込み片をそれぞれ突出形成したこと
を特徴とする請求項２に記載の包装用箱。
【請求項６】
前記前面板の上端部に沿って折曲げ線を介して蓋フラップを連設するとともに、この蓋フラップの左右端部に、それぞれ前記折曲げ線に沿って所要幅のスリットを形成し、このスリットに差込み可能な差込み片を、前面板と側面板のコーナー部に連設された折込み片の上縁部にそれぞれ突出形成したこと
を特徴とする請求項２に記載の包装用箱。
【請求項７】
平面矩形状とした底面板の上下の各端部に、折曲げ線を介して垂直に折曲げかつ立ち上げ可能に前面板および、その一部が前面板の縦幅と同幅の後面板を形成する蓋板をそれぞれ連設するとともに、
前記底面板と前面板および後面板の左右の端部に沿って、折曲げ線を介して所要幅の糊代部をそれぞれ連設させ、
前記底面板の左右に位置する糊代部の端部には、折曲げ線を介して底面板の短辺に連なる側面板をそれぞれ連設させ、
前記側面板の側端部および前記糊代部で形成される各コーナー部には、折込み片を折曲げ線を介してそれぞれ内側方向に折曲げ自在に連設させ、
前記前面板および蓋板の折曲げ線の延長線上に位置する糊代部に、それぞれ糊代部幅とほぼ同じ長さで細長い透孔が形成された包装用箱であって、
前記糊代部に形成される細長い透孔は、
透孔内の側面板側に舌片が底面板方向に突出形成されていること
を特徴とする包装用箱。
【請求項８】
前記側面板は、その上縁部をそれぞれ円弧状に形成し、
前記蓋体は、前記側面板の上縁部に沿って屈曲し、全体をカマボコ型とするのに必要な長さを有すること
を特徴とする請求項７に記載の包装用箱。
【請求項９】
前記前面板の上縁部の両端部にそれぞれ折曲げ線を介して舌片を連設し、各舌片に縦方向に切込み線を形成するとともに、この前面板側に位置する側面板の上縁部にそれぞれ前記舌片と係合する凹状の係合部を形成したこと
を特徴とする請求項８に記載の包装用箱。
【請求項１０】
前記舌片は、上縁部から下方に向けて切込み線を形成するに際し、上縁部に逆Ｖ字状の切込み部を形成し、この切込み部の頂部から切込み線を形成したこと
を特徴とする請求項８に記載の包装用箱。
【請求項１１】
前記前面板の上縁部に沿って折曲げ線を介して蓋フラップを連設するとともに、この蓋フラップの左右端部に、それぞれスリットを折曲げ線に向けて形成するとともに、この前面板側に位置する側面板の各上縁部に、前記スリットに差込み可能な差込み片をそれぞれ突出形成したこと
を特徴とする請求項８に記載の包装用箱。
【請求項１２】
前記前面板の上端部に沿って折曲げ線を介して蓋フラップを連設するとともに、この蓋フラップの左右端部に、それぞれ前記折曲げ線に沿って所要幅のスリットを形成し、このスリットに差込み可能な差込み片を、前面板と側面板のコーナー部に連設された折込み片の上縁部にそれぞれ突出形成したこと
を特徴とする請求項８に記載の包装用箱。
【請求項１３】
平面矩形状とした底面板の上下の各端部に、折曲げ線を介して垂直に折曲げかつ立ち上げ可能に前面板および、その一部が前面板の縦幅と同幅の後面板を形成する蓋板をそれぞれ連設するとともに、
前記底面板と前面板および後面板の左右の端部に沿って、折曲げ線を介して所要幅の糊代部をそれぞれ連設させ、
前記底面板の左右に位置する糊代部の端部には、折曲げ線を介して底面板の短辺に連なる側面板をそれぞれ連設させ、
前記側面板の側端部および前記糊代部で形成される各コーナー部には、折込み片を折曲げ線を介してそれぞれ内側方向に折曲げ自在に連設させ、
前記前面板および蓋板の折曲げ線の延長線上に位置する糊代部に、それぞれ糊代部幅とほぼ同じ長さで細長い透孔が形成された包装用箱であって、
前記各側面板の上方の端部および前記後面板に連設する糊代部の左右の端部とのコーナー部に形成される各折込み片の上縁部に、折曲げ線を介してそれぞれフラップを連設するとともに、
前記蓋板の側縁と相対する各フラップの側縁部にそれぞれ差込み片を連設し、前記各差込み片と係合するスリットを、それぞれ前記側面板と折込み片の連設部である折曲げ線に沿って形成したこと
を特徴とする包装用箱。
【請求項１４】
前記側面板は、その上縁部をそれぞれ円弧状に形成し、
前記蓋体は、前記側面板の上縁部に沿って屈曲し、全体をカマボコ型とするのに必要な長さを有すること
を特徴とする請求項１３に記載の包装用箱。
【請求項１５】
前記前面板の上縁部の両端部にそれぞれ折曲げ線を介して舌片を連設し、各舌片に縦方向に切込み線を形成するとともに、この前面板側に位置する側面板の上縁部にそれぞれ前記舌片と係合する凹状部を形成したこと
を特徴とする請求項１４に記載の包装用箱。
【請求項１６】
前記舌片は、上縁部から下方に向けて切込み線を形成するに際し、上縁部に逆Ｖ字状の切込み部を形成し、この切込み部の頂部から切込み線を形成したこと
を特徴とする請求項１４に記載の包装用箱。
【請求項１７】
前記前面板の上端部に沿って折曲げ線を介して蓋フラップを連設するとともに、この蓋フラップの左右端部に、それぞれ前記折曲げ線に沿って所要幅のスリットを形成し、このスリットに差込み可能な差込み片を、前面板と側面板のコーナー部に連設された折込み片の上縁部にそれぞれ突出形成したこと
を特徴とする請求項１４に記載の包装用箱。
【請求項１８】
前記前面板の上端部に沿って折曲げ線を介して蓋フラップを連設するとともに、この蓋フラップの左右の端部に、前記折曲げ線に沿ってそれぞれ所要幅のスリットを形成し、このスリットに差込み可能な差込み片を、前面板と側面板のコーナー部に連設された折込み片の上縁部にそれぞれ突出形成したこと
を特徴とする請求項１４に記載の包装用箱。
【請求項１９】
前記糊代部に形成される細長い透孔は、
透孔内の側面板側に舌片が底面板方向に突出形成されていること
を特徴とする請求項１４に記載の包装用箱。
【請求項２０】
平面矩形状とした底面板の上下の各端部に、折曲げ線を介して垂直に折曲げかつ立ち上げ可能に前面板および、その一部が前面板の縦幅と同幅の後面板を形成する蓋板をそれぞれ連設するとともに、
前記底面板と前面板および後面板の左右の端部に沿って、折曲げ線を介して所要幅の糊代部をそれぞれ連設させ、
前記底面板の左右に位置する糊代部の端部には、折曲げ線を介して底面板の短辺に連なる側面板をそれぞれ連設させ、
前記側面板の側端部および前記糊代部で形成される各コーナー部には、折込み片を折曲げ線を介してそれぞれ内側方向に折曲げ自在に連設させ、
前記前面板および蓋板の折曲げ線の延長線上に位置する糊代部に、それぞれ糊代部幅とほぼ同じ長さで細長い透孔が形成された包装用箱であって、
前記各折込み片の上下の端部に、折曲げ線を介してそれぞれフラップを連設するとともに、
前記蓋板および前面板の側縁と相対する各フラップの側縁に，それぞれ差込み片を連設せしめ、前記各差込み片と係合するスリットを、前記側面板と各折込み片の連設部である折曲げ線に沿ってそれぞれ形成したこと
を特徴とする包装用箱。
【請求項２１】
前記側面板は、その上縁部をそれぞれ円弧状に形成し、
前記蓋体は、前記側面板の上縁部に沿って屈曲し、全体をカマボコ型とするのに必要な長さを有すること
を特徴とする請求項２０に記載の包装用箱。
【請求項２２】
前記糊代部に形成される細長い透孔は、
透孔内の側面板側に舌片が底面板方向に突出形成されていること
を特徴とする請求項２０又は２１に記載の包装用箱。
【請求項２３】
前記前面板は、
先端部に折曲げ線を介して蓋フラップが連設されていること
を特徴とする請求項２０〜２２のいずれかに記載の包装用箱。
【発明の詳細な説明】
【技術分野】
【０００１】
この発明は包装用箱、より詳しくは、ファーストフードやテイクアウト食品、特に油分や水分などを含む食品を包装するのに最適な包装用箱に関し、包装技術の分野に属するものである。
【背景技術】
【０００２】
たとえば、フライ、コロッケ、カツレツ、テンプラなど、油で揚げた食品の持ち帰り用包装容器としては、特開平７−２２３６５号公報（特許文献１）には、持ち帰り用のプラスチックフィルムからなる袋と商品収納用紙容器を一体化した持ち帰り用袋が開示されている。
【０００３】
一方、上記包装容器とは別に、図７に示す紙製の包装用箱が実用化されている。
【０００４】
この包装用箱１は、図７に示されるように、平面矩形状とした底面板２の上下の各端部に、垂直に折曲げかつ立ち上げ可能に、折曲げ線３，４を介在して前面板５と、その一部が前記前面板５の縦幅と同幅の後面板６ａを形成する蓋板６とをそれぞれ連設するとともに、前記底面板２と前面板５および後面板６ａの、左右の各端部に沿って折曲げ線７，８を介して所要幅の糊代部９，１０をそれぞれ連設させ、また、前記底面板２の左右に位置する糊代部９，１０の左右の端部には、底面板２の短辺と同幅の折曲げ線１１，１２を介して先端縁が円弧状に形成された側面板１３，１４を同幅でそれぞれ連設し、さらに、前記側面板１３，１４の上下の端部および前記糊代部９の左右の端部との間に形成される各コーナー部には、合計４個の折込み片１５，１６，１７，１８を、それぞれ折曲げ線１を介して折曲げ自在に連設させて構成したものである。
【０００５】
なお、前記折曲げ線３，４の延長線上に位置する糊代部９，１０部には、それぞれ糊代部幅とほぼ同じ長さで細長い透孔２０が形成され、また、前記折込み片１５，１６，１７，１８には、各折込み片５，１６，１７，１８が内側に折り曲がるようにそれぞれ折曲げ線２１が、各コーナーから４５度方向に向けて形成されている。
【０００６】
また、前記蓋体６の上縁部中央には、差込み片２２が折曲げ線２３を介して連設され、この差込み片２２を受入れるスリット２４が折曲げ線３の略中央部に形成されたもので、使用に際しては、図８に示すように、糊代部９，１０の上面に接着剤を塗布するか、もしくは両面接着テープなどの接着材（図示せず）をそれぞれ貼着し、前記折曲げ線７，８に沿って底面板２側に折曲げて両者を固着させるとともに、さらに折曲げ線１１，１２に沿って鉛直に折返しながら、背面板６ａを立ち上げて折込み線２１に沿って各折込み片１５，１６，１７，１８を内側に折曲げ、もって左右の側面板１３，１４を底面板２上にほぼ垂直状態に立設させる。
【０００７】
しかるのち、左右の側面板１３，１４と蓋板６の下部の後面板６ａで囲まれた底面板２上に食品を収納載置せしめ、前記蓋板６の先端部に形成された差込み片２２を、前記折曲げ線３に沿って形成したスリット２４内に差込み、図９に示すような包装用箱１とするものである。
【特許文献１】特開平７−２２３６５号公報（特許請求の範囲、図２）
【発明の開示】
【発明が解決しようとする課題】
【０００８】
前記特許文献１に記載の持ち帰り用袋は、食品に含まれる油や水分などが外に漏れ出さない点で有利ではあるが、プラスチックフィルムからなる袋と商品収納用の紙容器を一体化させる必要があるので、製造工程が増えてコストアップを招来し、サービスの一貫として無償提供される包装用容器としては問題がある。
【０００９】
また、図７で示す包装用容器は、一枚のブランク板を打ち抜き機で所要の形状に打ち抜くとともに、折曲げ線や細長い透孔などを形成することができるので、製造がきわめて容易であるが、食品の包装に際し、包装用箱１を組み立てた時、図８で明らかなように、前面板５は未だ倒れた状態、すなわち底面板２と同一平面上にある。
【００１０】
したがって、食品を底面板２上に載置する場合には、食品が底面板２から転げ落ちないように指先で前面板５を、側面板１３，１４と同様に底面板２に対して垂直となるよう保持しながら行なう必要があるとともに、一旦底面板２に立設させた側面板１３，１４が内側に倒れ込んで、底面板２上への食品の載置に支障を来たすおそれがあり、立体的形態が保持できないので、サンプル展示にも使用できないなど実用上解決すべき課題を有している。
【００１１】
この発明はかかる現状に鑑み、側面板を鉛直状態に自立させることによって底面板上への食品の載置を容易にし、また、蓋体を開いた状態で立体的形態が保持され、中身を見せて展示することのできる包装用箱を提供せんとするものである。
【課題を解決するための手段】
【００１２】
前記の目的と達成するため、この発明の請求項１に記載の発明は、
平面矩形状とした底面板の上下の各端部に、折曲げ線を介して垂直に折曲げかつ立ち上げ可能に前面板および、その一部が前面板の縦幅と同幅の後面板を形成する蓋板をそれぞれ連設するとともに、
前記底面板と前面板および後面板の左右の端部に沿って、折曲げ線を介して所要幅の糊代部をそれぞれ連設させ、
前記底面板の左右に位置する糊代部の端部には、折曲げ線を介して底面板の短辺に連なる側面板をそれぞれ連設させ、
前記側面板の側端部および前記糊代部で形成される各コーナー部には、折込み片を折曲げ線を介してそれぞれ内側方向に折曲げ自在に連設させ、
前記前面板および蓋板の折曲げ線の延長線上に位置する糊代部に、それぞれ糊代部幅とほぼ同じ長さで細長い透孔が形成された包装用箱であって、
前記前面板または左右の側面板のいずれか一方に係止部を、他方に被係止部をそれぞれ形成し、被係止部に係止部を係合させることによって側面板を立設状態で保持するよう構成したこと
を特徴とする包装用箱である。
【００１３】
また、請求項２に記載の発明は、
請求項１に記載の包装用箱において、
前記側面板は、その上縁部をそれぞれ円弧状に形成し、
前記蓋体は、前記側面板の上縁部に沿って屈曲し、全体をカマボコ型とするのに必要な長さを有すること
を特徴とするものである。
【００１４】
また、請求項３に記載の発明は、
請求項２に記載の包装用箱において、
前記前面板の上縁部の両端部に、それぞれ折曲げ線を介して係止部としての舌片を連設し、各舌片に縦方向に切込み線を形成するとともに、この前面板側に位置する側面板の上縁部に、それぞれ前記舌片と係合する被係止部としての凹状部を形成したこと
を特徴とするものである。
【００１５】
また、請求項４に記載の発明は、
請求項３に記載の包装用箱において、
前記舌片は、上縁部から下方に向けて切込み線を形成するに際し、上縁部に逆Ｖ字状の切込み部を形成し、この切込み部の頂部から切込み線を形成したこと
を特徴とするものである。
【００１６】
また、請求項５に記載の発明は、
請求項２に記載の包装用箱において、
前記前面板の上縁部に沿って折曲げ線を介して蓋フラップを連設するとともに、この蓋フラップの左右端部に、それぞれスリットを折曲げ線に向けて形成するとともに、この前面板側に位置する側面板の各上縁部に、前記スリットに差込み可能な差込み片をそれぞれ突出形成したこと
を特徴とするものである。
【００１７】
また、請求項６に記載の発明は、
請求項２に記載の包装用箱において、
前記前面板の上端部に沿って折曲げ線を介して蓋フラップを連設するとともに、この蓋フラップの左右端部に、それぞれ前記折曲げ線に沿って所要幅のスリットを形成し、このスリットに差込み可能な差込み片を、前面板と側面板のコーナー部に連設された折込み片の上縁部にそれぞれ突出形成したこと
を特徴とするものである。
【００１８】
さらに、この発明の請求項７に記載の発明は、
平面矩形状とした底面板の上下の各端部に、折曲げ線を介して垂直に折曲げかつ立ち上げ可能に前面板および、その一部が前面板の縦幅と同幅の後面板を形成する蓋板をそれぞれ連設するとともに、
前記底面板と前面板および後面板の左右の端部に沿って、折曲げ線を介して所要幅の糊代部をそれぞれ連設させ、
前記底面板の左右に位置する糊代部の端部には、折曲げ線を介して底面板の短辺に連なる側面板をそれぞれ連設させ、
前記側面板の側端部および前記糊代部で形成される各コーナー部には、折込み片を折曲げ線を介してそれぞれ内側方向に折曲げ自在に連設させ、
前記前面板および蓋板の折曲げ線の延長線上に位置する糊代部に、それぞれ糊代部幅とほぼ同じ長さで細長い透孔が形成された包装用箱であって、
前記糊代部に形成される細長い透孔は、
透孔内の側面板側に舌片が底面板方向に突出形成されていること
を特徴とする包装用箱である。
【００１９】
また、請求項８に記載の発明は、
請求項７に記載の包装用箱において、
前記側面板は、その上縁部をそれぞれ円弧状に形成し、
前記蓋体は、前記側面板の上縁部に沿って屈曲し、全体をカマボコ型とするのに必要な長さを有すること
を特徴とするものである。
【００２０】
また、請求項９に記載の発明は、
請求項８に記載の包装用箱において、
前記前面板の上縁部の両端部にそれぞれ折曲げ線を介して舌片を連設し、各舌片に縦方向に切込み線を形成するとともに、この前面板側に位置する側面板の上縁部にそれぞれ前記舌片と係合する凹状の係合部を形成したこと
を特徴とするものである。
【００２１】
また、請求項１０に記載の発明は、
請求項８に記載の包装用箱において、
前記舌片は、上縁部から下方に向けて切込み線を形成するに際し、上縁部に逆Ｖ字状の切込み部を形成し、この切込み部の頂部から切込み線を形成したこと
を特徴とするものである。
【００２２】
また、請求項１１に記載の発明は、
請求項８に記載の包装用箱において、
前記前面板の上縁部に沿って折曲げ線を介して蓋フラップを連設するとともに、この蓋フラップの左右端部に、それぞれスリットを折曲げ線に向けて形成するとともに、この前面板側に位置する側面板の各上縁部に、前記スリットに差込み可能な差込み片をそれぞれ突出形成したこと
を特徴とするものである。
【００２３】
また、請求項１２に記載の発明は、
請求項８に記載の包装用箱において、
前記前面板の上端部に沿って折曲げ線を介して蓋フラップを連設するとともに、この蓋フラップの左右端部に、それぞれ前記折曲げ線に沿って所要幅のスリットを形成し、このスリットに差込み可能な差込み片を、前面板と側面板のコーナー部に連設された折込み片の上縁部にそれぞれ突出形成したこと
を特徴とするものである。
【００２４】
さらにまた、請求項１３に記載の発明は、
平面矩形状とした底面板の上下の各端部に、折曲げ線を介して垂直に折曲げかつ立ち上げ可能に前面板および、その一部が前面板の縦幅と同幅の後面板を形成する蓋板をそれぞれ連設するとともに、
前記底面板と前面板および後面板の左右の端部に沿って、折曲げ線を介して所要幅の糊代部をそれぞれ連設させ、
前記底面板の左右に位置する糊代部の端部には、折曲げ線を介して底面板の短辺に連なる側面板をそれぞれ連設させ、
前記側面板の側端部および前記糊代部で形成される各コーナー部には、折込み片を折曲げ線を介してそれぞれ内側方向に折曲げ自在に連設させ、
前記前面板および蓋板の折曲げ線の延長線上に位置する糊代部に、それぞれ糊代部幅とほぼ同じ長さで細長い透孔が形成された包装用箱であって、
前記各側面板の上方の端部および前記後面板に連設する糊代部の左右の端部とのコーナー部に形成される各折込み片の上縁部に、折曲げ線を介してそれぞれフラップを連設するとともに、
前記蓋板の側縁と相対する各フラップの側縁部にそれぞれ差込み片を連設し、前記各差込み片と係合するスリットを、それぞれ前記側面板と折込み片の連設部である折曲げ線に沿って形成したこと
を特徴とする包装用箱である。
【００２５】
また、請求項１４に記載の発明は、
請求項１３に記載の包装用箱において、
前記側面板は、その上縁部をそれぞれ円弧状に形成し、
前記蓋体は、前記側面板の上縁部に沿って屈曲し、全体をカマボコ型とするのに必要な長さを有すること
を特徴とするものである。
【００２６】
また、請求項１５に記載の発明は、
請求項１４に記載の包装用箱において、
前記前面板の上縁部の両端部にそれぞれ折曲げ線を介して舌片を連設し、各舌片に縦方向に切込み線を形成するとともに、この前面板側に位置する側面板の上縁部にそれぞれ前記舌片と係合する凹状部を形成したこと
を特徴とするものである。
【００２７】
また、請求項１６に記載の発明は、
請求項１４に記載の包装用箱において、
前記舌片は、上縁部から下方に向けて切込み線を形成するに際し、上縁部に逆Ｖ字状の切込み部を形成し、この切込み部の頂部から切込み線を形成したこと
を特徴とするものである。
【００２８】
また、請求項１７に記載の発明は、
請求項１４に記載の包装用箱において、
前記前面板の上端部に沿って折曲げ線を介して蓋フラップを連設するとともに、この蓋フラップの左右端部に、それぞれ前記折曲げ線に沿って所要幅のスリットを形成し、このスリットに差込み可能な差込み片を、前面板と側面板のコーナー部に連設された折込み片の上縁部にそれぞれ突出形成したこと
を特徴とするものである。
【００２９】
また、請求項１８に記載の発明は、
請求項１４に記載の包装用箱において、
前記前面板の上端部に沿って折曲げ線を介して蓋フラップを連設するとともに、この蓋フラップの左右の端部に、前記折曲げ線に沿ってそれぞれ所要幅のスリットを形成し、このスリットに差込み可能な差込み片を、前面板と側面板のコーナー部に連設された折込み片の上縁部にそれぞれ突出形成したこと
を特徴とするものである。
【００３０】
また、請求項１９に記載の発明は、
請求項１４に記載の包装用箱において、
前記糊代部に形成される細長い透孔は、
透孔内の側面板側に舌片が底面板方向に突出形成されていること
を特徴とするものである。
【００３１】
さらにまた、この発明の請求項２０に記載の発明は、
平面矩形状とした底面板の上下の各端部に、折曲げ線を介して垂直に折曲げかつ立ち上げ可能に前面板および、その一部が前面板の縦幅と同幅の後面板を形成する蓋板をそれぞれ連設するとともに、
前記底面板と前面板および後面板の左右の端部に沿って、折曲げ線を介して所要幅の糊代部をそれぞれ連設させ、
前記底面板の左右に位置する糊代部の端部には、折曲げ線を介して底面板の短辺に連なる側面板をそれぞれ連設させ、
前記側面板の側端部および前記糊代部で形成される各コーナー部には、折込み片を折曲げ線を介してそれぞれ内側方向に折曲げ自在に連設させ、
前記前面板および蓋板の折曲げ線の延長線上に位置する糊代部に、それぞれ糊代部幅とほぼ同じ長さで細長い透孔が形成された包装用箱であって、
前記各折込み片の上下の端部に、折曲げ線を介してそれぞれフラップを連設するとともに、
前記蓋板および前面板の側縁と相対する各フラップの側縁に，それぞれ差込み片を連設せしめ、前記各差込み片と係合するスリットを、前記側面板と各折込み片の連設部である折曲げ線に沿ってそれぞれ形成したこと
を特徴とする包装用箱である。
【００３２】
また、請求項２１に記載の発明は、
請求項２０に記載の包装用箱において、
前記側面板は、その上縁部をそれぞれ円弧状に形成し、
前記蓋体は、前記側面板の上縁部に沿って屈曲し、全体をカマボコ型とするのに必要な長さを有すること
を特徴とするものである。
【００３３】
また、請求項２２に記載の発明は、
請求項２０又は２１に記載の包装用箱において、
前記糊代部に形成される細長い透孔は、
透孔内の側面板側に舌片が底面板方向に突出形成されていること
を特徴とするものである。
【００３４】
また、請求項２３に記載の発明は、
請求項２０〜２２のいずれかに記載の包装用箱において、
前記前面板は、先端部に折曲げ線を介して蓋フラップが連設されていること
を特徴とするものである。
【発明の効果】
【００３５】
この発明において、請求項１乃至６に記載の包装用箱は、いずれも一枚のブランク板の打ち抜きによって形成することができるもので、底面板上にあらかじめ立設される左右の側面板に対し、前面板を簡単かつ容易に仮固定させることができるので、底面板上への食品の収納に際し、立設した左右の側面板が内側に倒れ込むことがなく、スムーズに食品の収納が可能となるとともに、蓋体を空けた状態で商品サンプルとしても使用することができる。
【００３６】
また、請求項７乃至１２に記載の包装用箱は、前記の作用効果を奏するとともに、糊代部に形成された細長い透孔内の、側面板側に舌片を底面板方向に向けて突出形成させているので、この舌片が、折り返しによって側面板が立設されたとき、側面板と後面板の接するコーナー部に生ずる隙間を密封し、食品に含まれる油分や水分が包装用箱から漏れ出すおそれがない。
【００３７】
また、請求項１３乃至１９に記載の包装用箱は、各側面板の上方の端部および後面板に連設する糊代部の左右の端部とのコーナー部に形成される各折込み片の上縁部に、折曲げ線を介してそれぞれフラップが連設されるとともに、蓋板の側縁と相対する各フラップの側縁部にそれぞれ差込み片が連設され、この各差込み片と係合するスリットが、それぞれ前記側面板と折込み片の連設部である折曲げ線に沿って形成されているので、蓋板側の折込み片を内側に折込んだのち、前記フラップを底板方向に折曲げ、各フラップに形成された差込み片を前期スリットに係合させることによって、後面板を簡単かつ容易に立設状態に保持することができる。
【００３８】
さらに、請求項２０乃至２３に記載の包装用箱は、簡単な手段によって左右の側面板と前面板および後面板を含む蓋体を立設させ、全体を上部が開口した包装用箱とすることができるもので、食品展示用のサンプルとして最適なものである。
【発明を実施するための最良の形態】
【００３９】
この発明の包装用箱の基本的な形態は、一枚のブランク板からなる包装用素材を使用して包装用箱を構成するに際し、食品などの被包装物を底面板上に簡単かつ容易に載置することができ、立設された左右の側面板が底面板方向に倒れ込まないように構成されたもので、以下、その実施例を添付の図面に基づいて説明するが、その基本形態は図７に示される包装用箱１と同一であるので、同一部位については同一符号で示す。
【実施例１】
【００４０】
図１はこの発明に係る包装用箱の一実施例のブランク板を示す平面図で、この実施例においては、前面板５の上縁の両端部に、折曲げ線３０を介してそれぞれ平面視山型の舌片３１、３１を連設するとともに、各舌片３１の上縁中央部に逆Ｖ字状の切込み部３２をそれぞれ形成し、かつ各切込み部３２の頂部から前記折曲げ線３０に向けて切込み線３３をそれぞれ形成して係止部が構成されている。
【００４１】
一方、この係止部に対応して、前記前面板５側に位置する側面板１３，１４の上縁部に、それぞれ前記舌片３１，３１と係合する凹状部３４，３４をそれぞれ形成し、被係止部を構成したもので、蓋板６の上縁部近傍の所要部位には、切り起こし手段によって差込み片２２を形成し、この差込み片２２を差込むスリット２４が前面板５の中央部に形成されたものである。
【００４２】
図７および図１に示す構成を有するブランク板３０は、図２（Ａ）に示されるように、たとえば、糊代部９，１０の表面に接着剤を塗布し、折曲げ線７，８に沿って底面板２方向に折曲げ、各糊代部９，１０を底面板２、前面板５および後面板６ａの表面に接着固定された状態で納品され、店頭で保管されている。
【００４３】
そして、使用に際しては、まず、図２（Ｂ）で明らかなように、側面板１４および側面板１３を折曲げ線１２，１１に沿って上方に折り返すと、各側面板１４，１３に連なる差込み片１６，１７および１５，１８も同時に起立するので、この状態を保持しながら、後面板６ａ側に位置する差込み片１７，１８を、蓋板６を図２（Ｃ）に示すように、折曲げ線４に沿って手前側に折曲げつつ、それぞれ折曲げ線１９に沿って内側に折り込む。
【００４４】
なお、図２（Ｃ）の状態では、手を離せば、各側面板およびそれに連なる差込み片は元の状態に戻ろうとする力が強く作用している。
【００４５】
ついで、図３（Ｄ）に示すように、前面板５を折曲げ線３に沿って上方に折り曲げながら、前面板５側に位置する折込み片１５，１６をそれぞれ折曲げ線２１に沿って内側に折り込むことによって、前面板５に突設した各舌片３１を起立する各側面板１４，１３に近接させ、各舌片３１に形成した切込み部３２をガイドとして、切込み線３３，３３をそれぞれ各側面板１４，１３の上縁部に形成された被係止部である凹状部３４に係合させ、切込み線３３の先端部を各凹状部３４の段部３５に当接させると、各段部３５がストッパーの役目を果たして切込み線３３が凹状部３４から離脱するのを確実に防止し、各側面板１３，１４と舌片３１との係合状態が保持される（図３（Ｅ）参照）。
【００４６】
したがって、この状態で底面板２上に所望の食品を収納載置させたのち、図３（Ｆ）に示すように、蓋体６を側面板１３，１４の上縁部に沿って手前方向に引っ張って、前面板５に形成されたスリット２４に、蓋体６の上縁部に形成された差込み片２２を下方側から差込んで包装用箱３６とするものである。
【００４７】
なお、この包装用箱３６においては、底面板２上に収納載置した食品中に含まれる油分や水分が外部に沁み出さないように、その内周面にはあらかじめ耐水体油加工させておくことが好ましく、糊代部９，１０と底面板２、前面板５および蓋板６（実質的には後面板６ａ）との接合接着は、両面接着テープを使用してもよい。
【００４８】
また、舌片に形成する切込み線３２は、図１においては、折曲げ線３０に対して直交するように形成されているが、切り込み線を斜め方向に形成することによって側面板１３，１４を一定角度に傾斜させて保持させることもできる。
【００４９】
さらに、図示しないが蓋板６の所要の部位に窓部を形成することによって、収納された商品を確認のために外観視できるように構成してもよい。
【実施例２】
【００５０】
図４は、この発明に係る包装用箱の他の実施例のブランク板を示す平面図で、この実施例においては、前記前面板５の上縁部に沿って折曲げ線を４０介して、前面板５と同幅の蓋フラップ４１を連設するとともに、この蓋フラップ４１の左右端部に、それぞれスリット４２，４２を折曲げ線４０に向けて形成するとともに、この前面板５側に位置する側面板１３，１４の各上縁部に、前記の各スリット４２に差込み可能な差込み片４３をそれぞれ突出形成したものである。
【００５１】
なお、この場合、各側面板１３，１４の上縁部は円弧状に形成されているので、前記差込み片４３を形成する部位の近傍を図示のように直線状とすることによって、蓋フラップ４１との接合を良好とし、差込み片４３とスリット４２との係合を一層確実なものとすることができるもので、このブランク板を使用した包装用箱の組み立ては、前記実施例とほぼ同様に方法で行なうことができる。
【実施例３】
【００５２】
図５は、この発明に係る包装用箱の、さらに他の実施例のブランク板を示す平面図で、この実施例においては、前面板５の上端部に沿って折曲げ線５０を介して蓋フラップ５１を連設するとともに、前記折曲げ線５０の左右端部に、折り曲げ線５０に沿って所要幅のスリット５２，５２を形成し、このスリット５２，５２に差込み可能な差込み片５３，５３を、前面板５と側面板１３，１４のコーナー部に連設された折込み片１５，１６の上縁部にそれぞれ突出形成したものである。
【００５３】
なお、図５に示されるように、前記差込み片５３を、各側面板１３，１４に近い差込み片１５，１６の上縁部に形成する場合には、前面板５の裏面と当接する差込み片１５ａ、１６ａの上縁部をテーパー状に形成することによって、差込み片５３とスリット５２との係合をより確実にすることができる。
【００５４】
上記したように、図１と図３および図４で述べた各実施例は、いずれも立設させた左右の側面板１３，１４の立設状態を、前面板５に形成される係止部（被係止部であってもよい）と、側面板１３，１４又は前面板５と側面板１３，１４で形成されるコーナー部に設けられる差込み片１５，１６に形成される被係合部（係止部であってもよい）とを互いに係合させることによって行なうものであるが、かかる包装用箱に、たとえば蓋板６を起立保持させる機能を付加することもできる。
【実施例４】
【００５５】
すなわち、図５において、側面板１３，１４の上方の端部と後面板６ａに連なる糊代部９，１０の側縁との間に形成されるコーナー部に、折曲げ線２１を介して内側方向（底面板２方向）に折り曲げ可能に配置された差込み片１７，１８の上縁部に、折曲げ線５４を介してフラップ５５，５６をそれぞれ連設させ、このフラップ５５，５６の蓋板６の側縁と相対する側縁にそれぞれ差込み片５７，５８を突出させて連設するとともに、前記側面板１３，１４と折込み片１８，１９の連設部である折曲げ線１９，１９に沿って、前記各差込み片５７，５８と係合するスリット５９，６０をそれぞれ形成する。
【００５６】
かかる構成からなるブランク板は、既に述べたように糊代部９，１０があらかじめ前面板５、底面板２および後面板６ａ部に接着固定された状態（実施例１における図２（Ａ）参照）にあるので、図２（Ｃ）のように、各差込み片１７，１８を折曲げ線２１に沿って内側に差し込んだのち、各フラップ５５，５６を折曲げ線５４に沿って底面板２方向に折曲げ、各フラップ５５，５６に突出形成された差込み片５７，５８を、起立する側面板１３，１４の折曲げ線１９に沿って形成されたスリット５９，６０内にそれぞれ差し込んで係合させると、簡単に蓋板６を底面板２に対して起立状態に保持させることができる。
【００５７】
したがって、左右の側面板１３，１４と前面板５も先に述べた方法で互いに係合させれば、ブランク板を包装用箱とすることができる。
【００５８】
なお、この実施例において、後面板６ａのやや上方に折曲げ線４と平行にスリット６１を形成し、蓋板６を円弧状に屈曲させながら、蓋板６上部に形成した差込み片２２をこのスリット６１内に下方から差し込んで係合させると、サンプル用容器としても使用することができる。
【実施例５】
【００５９】
ところで、図１、図３乃至図５に示される各包装用箱は、いずれも側面板１３，１４の上下の端部と前面板５又は後面板６ａの側面間に形成されるコーナー部に差込み片１５，１６および１７，１８が連設され、包装用箱の組み立てに際し、各差込み片１５，１６，１７，１８をそれぞれ折曲げ線２１に沿って内側に差し込む方法を採用しているので、その差し込みを容易にするため、さらには、その周辺部が撓んだり、損傷することがないようにするため、前面板５および蓋板６の折曲げ線３，４の延長線上に位置する糊代部に、それぞれ糊代部幅とほぼ同じ長さで帯状の細長い透孔２０を、打ち抜きなどの手段によって形成されている。
【００６０】
そのため、包装用箱の組み立てにおける差込み片１５，１６，１７，１８の内側方向への差し込みが、ブランク板に形成された透孔２０によって抵抗なく容易に行なうことができるが、その結果、起立する後面板６ａと左右の側面板１３，１４のコーナー部には、差込み片の厚み分の隙間が形成され、収納した食品から沁み出した油分や水分が、この隙間から包装用箱外に漏れ出し、衣服などを汚損するおそれがある。
【００６１】
そこで、糊代部９，１０に形成される細長い各透孔２０内の側面板側１３，１４に、それぞれ舌片２５を底面板２方向に突出形成し、起立する後面板６ａと左右の側面板１３，１４のコーナー部に形成される差込み片の厚み分の隙間を、これら舌片２５によって密封することができるよう構成したものである。
【００６２】
したがって、糊代部９，１０が接着固定された状態で折曲げ線７，８に沿って側面板１３，１４を引き起こしたのち、差込み片１５，１６，１７，１８を折曲げ線２１に沿って内側に差込むと、折曲げ線３，４の延長線上の糊代部に形成された各透孔２０内の側面板側１３，１４に、底面板２方向に向けて突出形成した各舌片２５が底面板２と当接し、かつその先端部が押し潰されて隙間がほぼ完全に密封され、油分や水分が包装用箱外に漏れ出すことがなくなる。
【実施例６】
【００６３】
図６は、この発明の包装用箱のさらに他の実施例を示すブランク板の平面図であって、前記図５に示すブランク板と基本的に同一であるが、側面板１３，１４の下端部と前面板５の側縁部間に形成されるコーナー部に差込み片１５，１６にも、上下および左右対称となるようにそれぞれ折曲げ線６２を介してフラップ６３，６４を連設させ、かつ前記前面板５に折曲げ線５０を介して同幅で連設させた蓋フラップ５１の側縁と相対するフラップ６３，６４の側縁にも、差込み片６５，６６をそれぞれ連設させるとともに、前記側面板１３，１４と折込み片１５，１６の連設部である折曲げ線１９，１９に沿って、前記各差込み片６５，６６と係合するスリット６７，６８をそれぞれ形成したもので、実施例５で既に述べた方法と同様に各差込み片６５，６６を、それぞれスリット６７，６８に差込み係合させれば、簡単かつ容易に包装用箱を得ることができる。
【００６４】
なお、この包装用箱にも、実施例５と同様に油分や水分が外に漏れ出さないように、各透孔２０内には舌片２５がそれぞれ付設されているので、食品用の包装用箱として最適なもので、サンプル展示用の包装用箱としても利用できるなど幅広い用途を有しているものである。
【図面の簡単な説明】
【００６５】
【図１】この発明に係る包装用箱のブランク板の一例を示す平面図である。
【図２】図１に示されるブランク板の組み立て法を示す説明図で、（Ａ）は組み立て前を、（Ｂ）は側面板を起立させた状態を、（Ｃ）は後面板側の差込み片を谷折りする状態を示す。
【図３】図１に示されるブランク板の組み立て法を示す説明図で、（Ｄ）は前面板側の差込み片を谷折りし、前面板を起立させる状態を示し、（Ｅ）は側面板を仮固定させた状態を、（Ｆ）は蓋体を固定する直前の状態を示す。
【図４】この発明に係る包装用箱の他のブランク板を示す平面図である。
【図５】この発明に係る包装用箱のさらに他のブランク板を示す平面図である。
【図６】この発明に係る包装用箱のさらに他のブランク板を示す平面図である。
【図７】従来の包装用箱に係るブランク板の平面図である。
【図８】図７において、側面板を起立させた状態を示す斜視図である。
【図９】図７に示すブランク板によって形成された包装用箱の斜視図である。
【符号の説明】
【００６６】
１          包装用箱
２          底面板
３，４      折曲げ線
５          前面板
６          蓋板
６ａ        後面板
７，８      折曲げ線
９，１０    糊代部
１１，１２  折曲げ線
１３，１４  側面板
１５〜１８  差込み片
２０        透孔
２２        差込み片
２４        スリット
２５        舌片
３１        舌片
３２        切込み部
３３        切込み線
【図１】
2005067686.tif 000003
【図２】
2005067686.tif 000004
【図３】
2005067686.tif 000005
【図４】
2005067686.tif 000006
【図５】
2005067686.tif 000007
【図６】
2005067686.tif 000008
【図７】
2005067686.tif 000009
【図８】
2005067686.tif 000010
【図９】
2005067686.tif 000011
【手続補正書】
【提出日】平成15年9月4日(2003.9.4)
【手続補正１】
【補正対象書類名】明細書
【補正対象項目名】０００２
【補正方法】変更
【補正の内容】
【０００２】
たとえば、フライ、コロッケ、カツレツ、テンプラなど、油で揚げた食品の持ち帰り用包装容器としては、特開平７−２２３６５４号公報（特許文献１）には、持ち帰り用のプラスチックフィルムからなる袋と商品収納用紙容器を一体化した持ち帰り用袋が開示されている。
【手続補正２】
【補正対象書類名】明細書
【補正対象項目名】０００７
【補正方法】変更
【補正の内容】
【０００７】
しかるのち、左右の側面板１３，１４と蓋板６の下部の後面板６ａで囲まれた底面板２上に食品を収納載置せしめ、前記蓋板６の先端部に形成された差込み片２２を、前記折曲げ線３に沿って形成したスリット２４内に差込み、図９に示すような包装用箱１とするものである。
【特許文献１】特開平７−２２３６５４号公報（特許請求の範囲、図２）